(57)【要約】【課題】従来フィットネスクラブなどで多く使用されているウォーキンギ装置では耳にイアホン、又はヘッドホンなどのスピーカをつけて運動する場合もあるが、多くの場合、単調であり、ウォーキング装置は室内において同じ場所で使用する為、足は動いても回りの風景は変らず長い時間使用していると飽きるなどの課題があった。【解決手段】眼鏡をかける感覚で３次元映像をモニタできる眼鏡型ディプレイをウォーキング装置と併用し、そのコンテンツをウォーキングにマッチする３次元映像とすることにより、ウォーキング装置を利用して運動する場合、より臨場感が得られる様にした。【選択図】図１
2006055575.tif 000002
【特許請求の範囲】
【請求項１】
室内運動器具としてのウォーキング装置、運動する人の顔にかけることのできる３次元立体映像が見える眼鏡型ディプレイ、この眼鏡型ディスプレイを使用する人の手元に置かれこの眼鏡型ディスプレイに映し出される映像を配信する情報制御装置より構成され、ウォーキング装置を使用して運動する場合、運動する人が眼鏡型ディプレイを眼鏡の様にかけて、眼鏡型ディスプレイによる３次元立体映像を見ながらウォーキングに合せて運動することにより、仮想的に自然の中を走っていることを実感できることを特徴とするウォーキング運動システム。
【発明の詳細な説明】
【技術分野】
【０００１】  本発明はフィットネスクラブなどで多く使用されているウォーキング装置において、これ利用している人が、軽量小型眼鏡型ディスプレイを使用してウォーキングによる運動を行うことにより、ウォーキングに合わせて３次元映像を見ながら楽しく且つ快適に運動ができる様、室内運動器具と眼鏡型３次元ディスプレイを組合せたことに関するものである。
【背景技術】
【０００２】  従来のウォーキング装置では耳にイアホン、又はヘッドホンなどのスピーカをつけて運動する場合があり、又運動する人の前にテレビモニタを置いて運動を行っている。ウォーキング装置は室内において同じ場所で使用する為、足は動いても回りの風景は変わらないが、３次元映像を眼の部分で見える様になれば、運動している時、臨場感が得られる。【０００３】  運動する状態でも、簡単に利用できる小型軽量の眼鏡型ディスプレイが開発され、これをウォーキング装置と組合せて使用、その映像をウォーキングする利用者が例えば仮想的に森の中を走っている感覚を３次元映像で出す技術が可能となった。又、眼鏡型ディスプレイの小型化により、その使用者が眼鏡型ディスプレイを装着したまま、手元を見る構造が可能となる。【０００４】  フィットネスクラブなど、ウォーキング装置が数多く設置されているところでは、ウォーキング装置を利用して運動して人は、外部の人から見られずプライバシーを守りながら眼鏡型ディスプレイを使用することが可能となる。
【発明の開示】
【発明が解決しようとしている課題】
【０００５】  本発明は上記した実情に鑑みてなされたものであって、ウォーキング装置と３次元映像がモニタできる眼鏡型ディスプレイを組合せることにより、ウォーキング装置を提供しているフィットネスクラブなどにおいて、ウォーキング装置をより楽しく臨場感ある装置としてその新しい価値を創造するものである。
【課題を解決するための手段】
【０００６】  本発明は上記目的を達成するために、ウォーキング装置を利用する人が眼鏡型ディスプレイを着用するシステムを提供する。
【０００７】  第一の解決手段は、ウォーキング装置を利用する人が眼鏡型ディスプレイを着用し、このディスプレイに映し出される映像として３次元仮想映像を使用し、ウォーキング装置の利用者がこの上で走る運動をする時、この眼鏡型ディスプレイを通し、恰も前方の風景がどんどん変化する３次元映像を見ることにより、例えば、森の中、山道を走っている感覚を音楽と連動して楽しく運動できる手段を提供する。
【０００８】  第二の解決手段はこの３次元映像データをネットワークで提供し、利用者はその映像の種類を選択するだけで、３次元映像をモニタすることが出来、中央ではそれらを統合して管理できる手段を提供するものである。
【発明の効果】
【０００９】  この発明は、フィットネスクラブが普及し、数多くのウォーキング装置が利用できる時代に、個人のプライバシーを守りつつ、利用者により３次元映像を併用することにより一層の臨場感を提供できるものである。
【発明を実施するための最良の形態】
【００１０】  以下、本発明の実施の形態を図１−３に基づいて説明する。【００１１】  図１は本発明に係わるウォーキング装置全体を示すブロック図である。この実施例に係わるシステムは、このウォーキング装置を使用して運動する人１、この時併用する眼鏡型ディスプレイ２、ウォーキング装置の前方支え部分３，手すり部分４、走行コンベア部分５、走行コンベアを作動する電動機装置から構成される。【００１２】  図２は図１に於ける眼鏡型ディスプレイで３次元映像を見る装置の機器構成図である。１１はその個人、１２は眼鏡型ディスプレイで、内部の光学装置により、選択送信されてくる画像入力を拡大画面で見ることができるものである。１３はこの拡大された仮想画面を示す。１４は眼鏡型ディスプレイ７に画像を送信する場合、その輝度、音声ボリュームなど調整しながら、眼鏡型ディスプレイで見たい３次元映像を選択する制御装置である。【００１３】１５は３次元映像コンテンツ記憶装置、１６は３次元映像コンテンツ装置１５から左眼用ディスプレイに映像を出力する映像信号処理装置、１６は３次元映像コンテンツ装置１５から右眼用のディスプレイに映像を出力する映像信号処理装置、１８は左眼用の電子ディスプレイ、１９は右眼用の電子ディスプレイ、左眼用の電子ディスプレイと隣接してこれを利用する人の眼幅の位置に配置されている。２０は左眼用の電子ディスプレイの前に置かれ画像を光学装置で拡大する装置、２１は右眼用の電子ディスプレイの前に置かれ画像を光学装置で拡大する装置。これらの装置を組合せることにより、３次元映像コンテンツを左眼、右眼に分割してシーケンシャルに表示することにより、これをモニタする人に仮想的は３次元映像を提供する。
【産業上の利用の可能性】
【００１４】  暑い地域、寒冷地域、気候の悪いところ、治安の悪いところなどでは、屋内でのウォーキング装置の利用は益々盛んになっている。この場合、ただウォーキング装置の上で運動するだけでは飽きる場合が多く、３次元映像をウォーキングしながら同時に見えるシステムを提供することにより、フィットネスクラブなどの利用者を大きく増加されることが期待され、いろいろな場所で利用されることが期待される。
【図面の簡単な説明】
【００１５】
【図１】  本発明に係わる眼鏡型ディスプレイを利用するウォーキング装置の実施形態を示すブロック構成図の例を示す。
【図２】  本発明に係わる各個人が用いる眼鏡型ディスプレイの構成図の例を示す。
【図３】  本発明に係わる眼鏡型ディスプレイの３次元映像を出力する構成の例を示す。
【符号の説明】
【００１６】１．眼鏡型ディスプレイを利用する人
２．眼鏡型ディスプレイ
３．ウォーキング装置の前方支部分
４．ウォーキング装置の手すり部分
５．ウォーキング装置の走行コンベア部分
６．ウォーキング装置の走行コンベアをドライブする駆動部分
１１．眼鏡型ディスプレイを利用する人
１２．眼鏡型ディスプレイ
１３．眼鏡型ディスプレイにより拡大されたコンテンツを表示する仮想画面
１４．眼鏡型ディスプレイ用の３次元映像コンテンツを記憶している装置
１５．３次元映像コンテンツ記憶装置
１６．上記３次元映像記憶装置１５からの信号を左眼用のディスプレイに映像を出力する映像信号処理装置
１７．上記３次元映像記憶装置１５からの信号を右眼用のディスプレイに映像を出力する映像信号処理装置
１８．左眼用の電子ディスプレイ
１９．右眼用の電子ディスプレイ、左眼用の電子ディスプレイと隣接してこれを利用する人の眼幅の位置に配置されている
２０．左眼用の電子ディスプレイの前に置かれ画像を光学装置で拡大する装置
２１．右眼用の電子ディスプレイの前に置かれ画像を光学装置で拡大する装置
【図１】
2006055575.tif 000003
【図２】
2006055575.tif 000004
【図３】
2006055575.tif 000005